(57)【要約】【課題】  メインパネルまたはサブパネルのいずれか一つだけを選択的に発光させることが可能な発光表示装置のディスプレイパネル駆動ドライバを提供すること。【解決手段】  相異なる表示パネルであるメインパネル８２０及びサブパネル８４０を備えた発光表示装置のディスプレイパネル駆動ドライバ８００が提供される。このディスプレイパネル駆動ドライバ８００は，メインパネル８２０の複数の走査線に選択信号を順次に印加するメイン走査駆動部８１０と；サブパネルの複数の走査線に選択信号を順次に印加するサブ走査駆動部８３０と；画像信号に対応するデータ電圧を，メインパネル８２０及びサブパネル８４０の選択された画素回路に印加するデータ駆動部と；データ駆動部を動作させながら，メイン走査駆動部８１０またはサブ走査駆動部８３０のいずれか一つだけを動作させるイネーブル信号を出力する駆動制御部８５０と；を備えることを特徴とする。【選択図】    図５
2006058893.tif 000002
【特許請求の範囲】
【請求項１】
相異なる表示パネルであるメインパネル及びサブパネルを備えた発光表示装置のディスプレイパネル駆動ドライバにおいて：
前記メインパネルの複数の走査線に選択信号を順次に印加するメイン走査駆動部と；
前記サブパネルの複数の走査線に選択信号を順次に印加するサブ走査駆動部と；
画像信号に対応するデータ電圧を，前記メインパネル及び前記サブパネルの選択された画素回路に印加するデータ駆動部と；
前記データ駆動部を動作させながら，前記メイン走査駆動部または前記サブ走査駆動部のいずれか一つだけを動作させるイネーブル信号を出力する駆動制御部と；
を備えることを特徴とする，発光表示装置のディスプレイパネル駆動ドライバ。
【請求項２】
前記駆動制御部が出力するイネーブル信号を反転させるインバータをさらに備えることを特徴とする，請求項１に記載の発光表示装置のディスプレイパネル駆動ドライバ。
【請求項３】
前記イネーブル信号または前記インバータによって反転されたイネーブル信号は，前記メイン走査駆動部または前記サブ走査駆動部に各々入力されることを特徴とする，請求項２に記載の発光表示装置のディスプレイパネル駆動ドライバ。
【請求項４】
前記メイン走査駆動部及び前記サブ走査駆動部は，前記駆動制御部から，前記イネーブル信号を除く複数の制御信号が共通の信号として入力されることを特徴とする，請求項２または３に記載の発光表示装置のディスプレイパネル駆動ドライバ。
【請求項５】
相異なる表示パネルであるメインパネル及びサブパネルと；
前記メインパネルの複数の走査線に選択信号を順次に印加するメイン走査駆動部と；
前記サブパネルの複数の走査線に選択信号を順次に印加するサブ走査駆動部と；
画像信号に対応するデータ電圧を，前記メインパネル及び前記サブパネルの選択された画素回路に印加するデータ駆動部と；
前記データ駆動部を動作させながら，前記メイン走査駆動部または前記サブ走査駆動部のいずれか一つだけを動作させるイネーブル信号を出力する駆動制御部と；
を備えることを特徴とする，発光表示装置。
【請求項６】
前記メインパネル及び前記サブパネルは，画像信号に対応するデータ電圧を印加するためのデータ線を共通で使用することを特徴とする，請求項５に記載の発光表示装置。
【請求項７】
前記駆動制御部が出力するイネーブル信号を反転させるインバータをさらに備えることを特徴とする，請求項５または６に記載の発光表示装置。
【請求項８】
前記イネーブル信号または前記インバータによって反転されたイネーブル信号は，前記メイン走査駆動部または前記サブ走査駆動部に各々入力されることを特徴とする，請求項７に記載の発光表示装置。
【請求項９】
前記メイン走査駆動部及び前記サブ走査駆動部は，前記駆動制御部から，前記イネーブル信号を除く複数の制御信号が共通の信号として入力されることを特徴とする，請求項７または８に記載の発光表示装置。
【請求項１０】
相異なる表示パネルであるメインパネル及びサブパネルを備えた発光表示装置のディスプレイパネルを駆動する方法において：
１）前記メインパネルを各々走査駆動するメイン走査駆動部，又は前記サブパネルを走査駆動するサブ走査駆動部のうちのいずれか一つを選択するイネーブル信号を出力する段階と；
２）前記イネーブル信号を反転させる段階と；
３）前記イネーブル信号及び前記反転したイネーブル信号に応じて，前記メイン走査駆動部又は前記サブ走査駆動部によって，前記メインパネルまたは前記サブパネルの複数の走査線に選択信号を順次に印加する段階と；
４）画像信号に対応する複数のデータ電圧を前記メインパネルまたは前記サブパネルの選択された画素回路に順次に印加して，前記メインパネルまたはサブパネルのいずれか一つだけを表示動作させる段階と；
を含むことを特徴とする，発光表示装置のディスプレイパネル駆動方法。
【請求項１１】
前記２）段階では，インバータを使用して前記イネーブル信号を反転させることを特徴とする，請求項１０に記載の発光表示装置のディスプレイパネル駆動方法。
【請求項１２】
前記メイン走査駆動部及び前記サブ走査駆動部は，前記イネーブル信号を除く複数の制御信号が共通の信号として入力されることを特徴とする，請求項１０または１１に記載の発光表示装置のディスプレイパネル駆動方法。
【請求項１３】
前記４）段階では，前記メインパネル及び前記サブパネルは，前記画像信号に対応するデータ電圧を印加するデータ線を共通で使用することを特徴とする，請求項１０〜１２のいずれかに記載の発光表示装置のディスプレイパネル駆動方法。
【発明の詳細な説明】
【技術分野】
【０００１】
本発明は，発光表示装置のディスプレイパネル駆動ドライバ，発光表示装置，及び発光表示装置のディスプレイパネル駆動方法に関し，具体的には，有機ＥＬ表示装置等のメインパネル及びサブパネルを駆動するディスプレイパネル駆動ドライバ及びその駆動方法等に関する。
【背景技術】
【０００２】
有機ＥＬ（ｏｒｇａｎｉｃ  ｅｌｅｃｔｒｏ−ｌｕｍｉｎｅｓｃｅｎｃｅ）表示装置は，電流が流れる場合に光を発する有機物質を画素別に分離してマトリックス形態に配置しておき，これら有機物質に流れる電流の量を調節することによって，画像を表示する装置である。このような有機ＥＬ表示装置は，低電圧駆動，軽量薄型，広視野角，そして高速応答などの長所によって，次世代の表示装置として期待されている。
【０００３】
図１は有機発光素子（ＯＬＥＤ；Ｏｒｇａｎｉｃ  Ｌｉｇｈｔ−Ｅｍｉｔｔｉｎｇ  Ｄｉｏｄｅ）の発光原理を示す図面である。
【０００４】
一般に，有機発光表示装置は，蛍光性有機化合物を電気的に励起させて発光させる表示装置であって，ｎ×ｍ個の有機発光セルを電圧駆動あるいは電流駆動して，画像を表示することができるようになっている。このような有機発光セルの構造は，図１に示されているように，ＩＴＯ（Ｉｎｄｉｕｍ  Ｔｉｎ  Ｏｘｉｄｅ）画素電極，有機薄膜，及び金属レイヤーからなる。上記有機薄膜は，電子及び正孔の均衡を改善して発光効率を向上させるために，発光層（Ｅｍｉｔｔｉｎｇ  Ｌａｙｅｒ：ＥＭＬ），電子輸送層（Ｅｌｅｃｔｒｏｎ  Ｔｒａｎｓｐｏｒｔ  Ｌａｙｅｒ：ＥＴＬ），及び正孔輸送層（Ｈｏｌｅ  Ｔｒａｎｓｐｏｒｔ  Ｌａｙｅｒ：ＨＴＬ）を含む多層構造からなり，また，別途の電子注入層（Ｅｌｅｃｔｒｏｎ  Ｉｎｊｅｃｔｉｎｇ  Ｌａｙｅｒ：ＥＩＬ）及び正孔注入層（Ｈｏｌｅ  Ｉｎｊｅｃｔｉｎｇ  Ｌａｙｅｒ：ＨＩＬ）を含むことができる。
【０００５】
このように構成される有機発光セルを駆動する方式には，単純マトリックス（ｐａｓｓｉｖｅ  ｍａｔｒｉｘｍ）方式と，ＴＦＴを利用した能動駆動（ａｃｔｉｖｅ  ｍａｔｒｉｘ）方式とがある。上記単純マトリックス方式は，正極及び負極を直交するように形成して，ラインを選択して駆動する方式であり，能動駆動方式は，ＴＦＴ及びキャパシタを各々の画素電極に接続して，キャパシタの容量によって電圧を維持するようにする方式である。
【０００６】
近年，携帯電話では，ホルダー形態（折り畳み形式）の製品が多く使用されていて，ディスプレイパネルの内側及び外側に各々異なる大きさの有機発光表示パネルを採用した製品が多く生産されている。このような有機発光表示パネルを採用した製品の場合，内側の表示のための有機発光表示パネルが，外側の表示のための有機発光表示パネルより大きく形成されている。
【発明の開示】
【発明が解決しようとする課題】
【０００７】
しかし，上記従来のような両側に２つのディスプレイパネルを備えた装置では，ディスプレイパネルの大きさが二種類であるため，これらを各々異なる形態で制御しなければならず，また，使用される部品数も２倍に増加するので，製品単価が増加するという問題点があった。
【０００８】
上記問題点を解決するために，本発明の目的は，両側に有機発光表示パネルを使用する場合に，メインパネルまたはサブパネルのいずれか一つだけを選択的に発光させて，部品数を低減することが可能な，新規かつ改良された，発光表示装置のディスプレイパネル駆動ドライバ，発光表示装置，及び発光表示装置のディスプレイパネル駆動方法を提供することにある。
【課題を解決するための手段】
【０００９】
上記課題を解決するために，本発明のある観点によれば，相異なる表示パネルであるメインパネル（Ｍａｉｎ  Ｐａｎｅｌ）及びサブパネル（Ｓｕｂ  Ｐａｎｅｌ）を備えた発光表示装置のディスプレイパネル駆動ドライバが提供される。このディスプレイパネル駆動ドライバは，メインパネルの複数の走査線（ｓｃａｎ  ｌｉｎｅ）に選択信号を順次に印加するメイン走査駆動部と；サブパネルの複数の走査線に選択信号を順次に印加するサブ走査駆動部と；画像信号に対応するデータ電圧を，メインパネル及びサブパネルの選択された画素回路に印加するデータ駆動部と；データ駆動部を動作させながら，メイン走査駆動部またはサブ走査駆動部のいずれか一つだけを動作させるイネーブル（Ｅｎａｂｌｅ）信号を出力する駆動制御部と；を備えることを特徴とする。
【００１０】
なお，上記メインパネルとサブパネルは，携帯電話等の発光表示装置の前面及び背面にそれぞれ配設されてもよい。
【００１１】
また，上記駆動制御部が出力するイネーブル信号を反転させるインバータをさらに備えるようにしてもよい。
【００１２】
また，上記イネーブル信号またはインバータによって反転されたイネーブル信号は，メイン走査駆動部またはサブ走査駆動部に各々入力されるようにしてもよい。
【００１３】
また，上記メイン走査駆動部及びサブ走査駆動部は，駆動制御部から，イネーブル信号を除く複数の制御信号が共通の信号として入力されるようにしてもよい。
【００１４】
また，上記課題を解決するために，本発明の別の観点によれば，相異なる表示パネルであるメインパネル及びサブパネルと；メインパネルの複数の走査線に選択信号を順次に印加するメイン走査駆動部と；サブパネルの複数の走査線に選択信号を順次に印加するサブ走査駆動部と；画像信号に対応するデータ電圧を，メインパネル及びサブパネルの選択された画素回路に印加するデータ駆動部と；データ駆動部を動作させながら，メイン走査駆動部またはサブ走査駆動部のいずれか一つだけを動作させるイネーブル信号を出力する駆動制御部と；を備えることを特徴とする，発光表示装置が提供される。
【００１５】
また，上記メインパネル及びサブパネルは，画像信号に対応するデータ電圧を印加するためのデータ線（Ｄａｔａ  ｌｉｎｅ）を共通で使用するようにしてもよい。
【００１６】
また，上記駆動制御部が出力するイネーブル信号を反転させるインバータをさらに備えるようにしてもよい。
【００１７】
また，上記イネーブル信号またはインバータによって反転されたイネーブル信号は，メイン走査駆動部またはサブ走査駆動部に各々入力されるようにしてもよい。
【００１８】
また，上記メイン走査駆動部及びサブ走査駆動部は，駆動制御部から，イネーブル信号を除く複数の制御信号が共通の信号として入力されるようにしてもよい。
【００１９】
また，上記課題を解決するために，本発明の別の観点によれば，相異なる表示パネルであるメインパネル及びサブパネルを備えた発光表示装置のディスプレイパネルを駆動する方法が提供される。このディスプレイパネル駆動方法は，１）メインパネルを各々走査駆動するメイン走査駆動部，又はサブパネルを走査駆動するサブ走査駆動部のうちのいずれか一つを選択するイネーブル信号を出力する段階と；２）イネーブル信号を反転させる段階と；３）イネーブル信号及び反転したイネーブル信号に応じて，メイン走査駆動部又はサブ走査駆動部によって，メインパネルまたはサブパネルの複数の走査線に選択信号を順次に印加する段階と；４）画像信号に対応する複数のデータ電圧をメインパネルまたはサブパネルの選択された画素回路に順次に印加して，メインパネルまたはサブパネルのいずれか一つだけを表示動作させる段階と；を含むことを特徴とする。
【００２０】
また，上記２）段階では，インバータを使用してイネーブル信号を反転させるようにしてもよい。
【００２１】
また，上記メイン走査駆動部及びサブ走査駆動部は，イネーブル信号を除く複数の制御信号が共通の信号として入力されるようにしてもよい。
【００２２】
また，上記４）段階では，メインパネル及びサブパネルは，画像信号に対応するデータ電圧を印加するデータ線を共通で使用するようにしてもよい。
【発明の効果】
【００２３】
以上説明したように本発明によれば，２つの表示パネルを使用する場合に，メインパネルまたはサブパネルのいずれか一つだけを選択的に発光させて，双方のパネルを同一の形態で制御することができる。このため，駆動制御部の部品点数を低減し，低コスト化が図れる。
【発明を実施するための最良の形態】
【００２４】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２５】
（第１の実施形態）
まず，本発明の第１の実施形態にかかる発光表示装置，このディスプレイパネル駆動ドライバ及びディスプレイパネル駆動方法について説明する。
【００２６】
図２は，本発明の第１の実施形態にかかる発光表示装置の一例である有機ＥＬ表示装置の概略的なブロック構成図である。
【００２７】
図２を参照すれば，本実施形態にかかる有機ＥＬ表示装置は，ビデオ制御部１００，パネル制御部２００，電源供給部３００，走査駆動部（Ｓｃａｎ  Ｄｒｉｖｅｒ）４００，データ駆動部（Ｄａｔａ  Ｄｒｉｖｅｒ）５００，及び有機発光表示パネル６００を備える。
【００２８】
本実施形態にかかる有機ＥＬ表示装置は，アナログインターフェース及びデジタルインターフェースを経た様々な信号が，それぞれ，走査駆動部４００及びデータ駆動部５００によって，上記有機発光表示パネル６００に行（Ｃｏｌｕｍｎ）及び列（Ｒｏｗ）方向に伝達される。
【００２９】
具体的には，Ｒ，Ｇ，Ｂ信号及び同期信号などの様々なアナログ信号が，上記ビデオ制御部１００に入力され，上記ビデオ制御部１００によってデジタル信号に変換される。上記パネル制御部２００は，これらのデジタル信号を制御して順次に走査駆動部４００及びデータ駆動部５００に提供する。上記有機発光表示パネル６００は，これら走査駆動部４００及びデータ駆動部５００によって提供される信号と，電源供給部３００によって提供される電源とによって，ｎ×ｍ個の有機発光セルを電圧駆動あるいは電流駆動して画像を表示する。
【００３０】
一方，図３は，本実施形態にかかるＴＦＴを利用した能動駆動方式の有機発光表示パネルを示す図面である。
【００３１】
図３を参照すれば，本実施形態にかかる有機ＥＬ表示装置は，有機発光表示パネル６００，データ駆動部５００，及び走査駆動部４００を備える。
【００３２】
上記有機発光表示パネル６００は，列方向に延長するｍ個のデータ線（Ｄ１，Ｄ２，…，Ｄｍ）と，行方向に延長するｎ個の走査線（Ｓ１，Ｓ２，…，Ｓｎ）と，ｎ×ｍ個の画素回路とを備える。上記ｍ個のデータ線（Ｄ１，Ｄ２，…，Ｄｍ）は，画像信号を示すデータ信号を画素回路に伝達し，ｎ個の走査線（Ｓ１，Ｓ２，…，Ｓｎ）は，選択信号を各々画素回路に伝達する。ここで，画素回路は，隣接する二つのデータ線（Ｄ１，Ｄ２，…，Ｄｍ）及び隣接する二つの走査線（Ｓ１，Ｓ２，…，Ｓｎ）によって定められる矩形の画素領域６１０にそれぞれ形成される。
【００３３】
上記走査駆動部４００は，ｎ個の走査線（Ｓ１，Ｓ２，…，Ｓｎ）に各々選択信号を順次に印加し，データ駆動部５００は，ｍ個のデータ線（Ｄ１，Ｄ２，…，Ｄｍ）に画像信号に対応するデータ電圧を印加する。
【００３４】
また，上記走査駆動部４００及び／又はデータ駆動部５００は，有機発光表示パネル６００に電気的に連結されてもよいし，或いは，上記有機発光表示パネル６００に接着されて電気的に連結されているテープキャリアパッケージ（ｔａｐｅ  ｃａｒｒｉｅｒ  ｐａｃｋａｇｅ：ＴＣＰ）にチップなどの形態で装着されてもよい。また，上記走査駆動部４００及び／又はデータ駆動部５００は，上記有機発光表示パネル６００に接着されて電気的に連結されている可撓性印刷回路（ｆｌｅｘｉｂｌｅ  ｐｒｉｎｔｅｄ  ｃｉｒｃｕｉｔ：ＦＰＣ）またはフィルム（ｆｉｌｍ）などに，チップなどの形態で装着されることもできる。
【００３５】
また，上記走査駆動部４００及び／又はデータ駆動部５００は，上記有機発光表示パネル６００のガラス基板上に直接装着されてもよいし，或いは，該ガラス基板上に走査線，データ線，及び薄膜トランジスタと同一層に形成されている駆動回路に代替されてもよいし，直接装着されることもできる。
【００３６】
また，上記画素回路は，例えば，有機発光素子（ＯＬＥＤ）と，２つのトランジスタ（ＳＭ，ＤＭ）と，キャパシタ（Ｃｓｔ）とを含む。例えば，上記２つのトランジスタ（ＳＭ，ＤＭ）は，ＰＭＯＳ型トランジスタで形成されることができる。
【００３７】
上記駆動トランジスタ（ＤＭ）は，電源電圧（ＶＤＤ）にソースが連結され，ゲート及びソースの間にキャパシタ（Ｃｓｔ）が連結されている。上記キャパシタ（Ｃｓｔ）は，上記駆動トランジスタ（ＤＭ）のゲート／ソース電圧を一定の期間維持し，上記駆動トランジスタ（ＤＭ）は，キャパシタ（Ｃｓｔ）によって維持された電圧，つまりゲート及びソースの間の電圧に対応する電流を出力する。スイッチングトランジスタ（ＳＭ）は，対応する走査線（Ｓｎ）からの選択信号に応答してデータ線（Ｄｍ）からのデータ信号を駆動トランジスタ（ＤＭ）に伝達する。
【００３８】
上記有機発光素子（ＯＬＥＤ）は，カソードが基準電圧（Ｖｓｓ）に連結され，駆動トランジスタ（ＤＭ）を通じて印加される電流に対応する光を発する。ここで，有機発光素子（ＯＬＥＤ）のカソードに連結される電源（Ｖｓｓ）の電圧は，電源（ＶＤＤ）より低いレベルの電圧であって，グラウンド電圧などが使用される。
【００３９】
一方，図４Ａ及び図４Ｂは，本実施形態にかかる発光表示装置を備えた携帯用端末機７００の前面のメインパネル７１０及び背面のサブパネル７６０を示す斜視図である。
【００４０】
図４Ａ及び図４Ｂを参照すれば，本実施形態にかかる発光表示装置を備えた携帯用端末機７００は，メインパネル７１０，ホルダー７２０，キーパッド７４０，上記キーパッド７４０が装着されたデュアルホルダー型携帯用端末機本体７３０，アンテナ７５０，及びサブパネル７６０を備える。
【００４１】
一方，図５は，本実施形態にかかる発光表示装置のディスプレイパネル駆動ドライバの概略的な構成を示すブロック図である。
【００４２】
図５を参照すれば，本実施形態にかかる発光表示装置のディスプレイパネル駆動ドライバは，装置の前面及び背面にそれぞれ設けられた表示パネルであるメインパネル８２０及びサブパネル８４０を備えた発光表示装置のディスプレイパネル８００内に具現される。
【００４３】
ここで，メイン走査駆動部８１０は，上記メインパネル８２０の複数の走査線に各々選択信号を順次に印加し，サブ走査駆動部８３０は，上記サブパネル８４０の複数の走査線に各々選択信号を順次に印加する。
【００４４】
また，データ駆動部（図示せず。）は，画像信号に対応するデータ電圧を上記メインパネル８２０及びサブパネル８４０の選択された画素回路に印加する。
【００４５】
また，駆動制御部である駆動集積回路（駆動ＩＣ）８５０は，上記データ駆動部を駆動させながら，同時に，上記メイン走査駆動部８１０またはサブ走査駆動部８３０のいずれか一つだけが動作するように，上記メイン走査駆動部８１０またはサブ走査駆動部８３０をイネーブルさせる。この時，上記イネーブル信号を反転させるインバータ８６１を追加的に含むことができ，上記駆動集積回路８５０から出力されるイネーブル信号は，ハイイネーブル信号であってもローイネーブル信号であってもよいので，上記インバータ８６１は，上記メイン走査駆動部８１０またはサブ走査駆動部８３０の全段のどこに配置されてもよく，上記イネーブル信号または反転したイネーブル信号は，上記メイン走査駆動部８１０またはサブ走査駆動部８３０に各々入力される。
【００４６】
また，上記メイン走査駆動部８１０またはサブ走査駆動部８３０は，上記イネーブル信号を除く複数の制御信号が共通で入力されることができる。ここで，上記共通で入力される複数の制御信号は，例えばクロック信号（ＣＬＫ）などである。
【００４７】
一方，本実施形態にかかる発光表示装置のディスプレイパネル駆動方法では，まず，駆動集積回路８５０が，上記メインパネル８２０又はサブパネル８４０を各々走査駆動するメイン走査駆動部８１０又はサブ走査駆動部８３０のうちのいずれか一つを選択するイネーブル信号を出力する。次いで，インバータ８６１を使用して上記イネーブル信号を反転させて，その後，上記イネーブル信号と反転したイネーブル信号を，サブ走査駆動部８３０とメイン走査駆動部８１０にそれぞれ入力する。この結果，上記イネーブル信号及び反転したイネーブル信号によって選択されたメイン走査駆動部８１０又はサブ走査駆動部８３０のいずれかによって，上記メインパネル８２０またはサブパネル８４０のいずれかの複数の走査線に，各々選択信号を順次に印加するとともに，データ駆動部が，画像信号に対応する複数のデータ電圧を，上記メインパネル８２０またはサブパネル８４０の選択された画素回路に順次に印加して，上記メインパネル８２０またはサブパネル８４０のいずれか一つだけを表示させる。
【００４８】
結局，本実施形態では，一つの携帯電話用有機発光表示パネルでメインパネル７１０（８２０）及びサブパネル７６０（８４０）を同時に具現して，上記メイン走査駆動部８１０またはサブ走査駆動部８３０を駆動する時に，これらの走査駆動部が同時に動作しないように，一方の走査駆動部をイネーブル信号により選択することによって，他方の走査駆動部はオフさせるようになる。
【００４９】
以上のように，携帯電話の両側（前面及び背面）等に２つの有機発光表示パネルを使用する場合に，メインパネル７１０（８２０）またはサブパネル７６０（８４０）のいずれか一つだけを選択的に発光させことができる。このため，同一の駆動制御部である駆動集積回路８５０を用いて，同一の形態でメインパネル７１０（８２０）またはサブパネル７６０を制御することができる。従って，制御駆動部の部品数を低減して，製品コストを低減できる。
【００５０】
また，従来のディスプレイパネル駆動ドライバでは，メイン走査駆動部及びサブ走査駆動部を選択するイネーブル信号を除く他の制御信号を共通で使用することができず，非効率的であるという問題があった。しかし，本実施形態にかかるディスプレイパネル駆動ドライバでは，メインパネル７１０（８２０）及びサブパネル７６０（８４０）が，メイン走査駆動部８１０及びサブ走査駆動部８３０が，当該メイン走査駆動部８１０またはサブ走査駆動部８３０を選択するイネーブル信号を除く他の制御信号（例えばクロック信号等）を，共通で使用することができる。このため，駆動集積回路８５０の設計が容易となり，低コスト化を図れる。
【００５１】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【図面の簡単な説明】
【００５２】
【図１】ＯＬＥＤ素子の発光原理を示す説明図である。
【図２】本発明の第１の実施形態にかかる有機ＥＬ表示装置の概略的な構成を示すブロック図である。
【図３】同実施形態にかかる薄膜トランジスタ（ＴＦＴ）を利用した能動駆動方式の有機発光表示パネルを示す図面である。
【図４Ａ】同実施形態にかかる発光表示装置を備えた携帯用端末機の前面のメインパネルを示す斜視図である。
【図４Ｂ】同実施形態にかかる発光表示装置を備えた携帯用端末機の背面のサブパネルを示す斜視図である。
【図５】同実施形態にかかる発光表示装置のディスプレイパネル駆動ドライバの概略的な構成を示すブロック図である。
【符号の説明】
【００５３】
１００    ビデオ制御部
２００    パネル制御部
３００    電源供給部
４００    走査駆動部
５００    データ駆動部
６００    有機発光表示パネル
６１０    画素領域
７００    携帯用端末機
７１０，８２０    メインパネル
７２０    ホルダー
７３０    デュアルホルダー型携帯用端末機本体
７４０    キーパッド
７５０    アンテナ
７６０，８４０    サブパネル
８００    パネルディスプレイ
８１０    メイン走査駆動部
８３０    サブ走査駆動部
８５０    駆動集積回路
８６１    インバータ
【図１】
2006058893.tif 000003
【図２】
2006058893.tif 000004
【図３】
2006058893.tif 000005
【図４Ａ】
2006058893.tif 000006
【図４Ｂ】
2006058893.tif 000007
【図５】
2006058893.tif 000008